(57)【要約】  【課題】  食器を取り出すべく食器収容篭を前方へ移動した場合であっても、食器に付着している水滴を洗浄槽内へ還流することができる食器洗い機を提供する。  【解決手段】  洗浄槽２内に供給された水を循環し、循環した水を食器に対して噴射する食器洗い機において、食器を収容し、洗浄槽２の内外へ前後に移動することが可能な食器収容篭３と、食器収容篭３の底面前端に一端を回転可能に取り付けてある板状の水受け部１０とを備え、水受け部１０の一端と他端との距離は、食器収容篭３が最前部まで移動した場合の底面前端と洗浄槽２の開口部下端部１５との距離よりも長い。【選択図】      図４
2006263378.tif 000002
【特許請求の範囲】
【請求項１】
洗浄槽内に供給された水を循環し、循環した水を食器に対して噴射する食器洗い機において、
食器を収容し、前記洗浄槽の内外へ前後に移動することが可能な食器収容篭と、
該食器収容篭の底面前端に一端を回転可能に取り付けてある板状の水受け部とを備え、
該水受け部の一端と他端との距離は、前記食器収容篭が最前部まで摺動した場合の底面前端と前記洗浄槽の開口部下端との距離よりも長いことを特徴とする食器洗い機。
【請求項２】
前記食器収容篭が最前部まで移動した場合、前記水受け部は前記洗浄槽の開口部に向かって下向きに傾斜するようにしてあることを特徴とする請求項１記載の食器洗い機。
【請求項３】
食器を乾燥するヒータを前記洗浄槽の下部に備えており、
前記食器収容篭が最後部まで移動した場合、前記水受け部は前記ヒータの近傍に収容されるようにしてあることを特徴とする請求項１又は２記載の食器洗い機。
【請求項４】
前記水受け部は、前記食器収容篭が最後部まで移動した場合、前記洗浄槽の開口部下端を覆う位置に収容されるようにしてあることを特徴とする請求項１乃至３のいずれか一項に記載の食器洗い機。
【請求項５】
前記水受け部は、脱着可能であることを特徴とする請求項１乃至４のいずれか一項に記載の食器洗い機。
【請求項６】
洗浄槽内に供給された水を循環し、循環した水を食器に対して噴射する食器洗い機において、
上下方向に回転し、前記洗浄槽の開口部を開閉する扉と、
前記洗浄槽の開口部の下縁に取り付けてある板状の水受け部と、
前記扉の内面の所定の位置に一端を回転可能に取り付けてあり、他端を洗浄槽の左右内面に上下方向に設けてある誘導溝に嵌入してある連携部材と
を備え、
前記扉が開く場合、前記連携部材の他端が前記誘導溝に沿って上方へ移動し、上方へ移動する他端により前記水受け部が前記洗浄槽の外側へと回転し、
前記扉が閉じる場合、前記連携部材の他端が前記誘導溝に沿って下方へ移動し、下方へ移動する他端により前記水受け部が前記洗浄槽側へと回転するようにしてあることを特徴とする食器洗い機。
【請求項７】
前記水受け部は、回転中心の近傍の両側端に、前記水受け部の延長方向に突出する第１の突出部と、該第１の突出部と略直交する第２の突出部とを備え、
前記連携部材の他端は、前記扉を閉じた場合に前記第１の突出部と前記第２の突出部との間に位置するように設けてあることを特徴とする請求項６記載の食器洗い機。
【請求項８】
前記水受け部は、金属材料で形成してあることを特徴とする請求項１乃至７のいずれか一項に記載の食器洗い機。
【発明の詳細な説明】
【技術分野】
【０００１】
本発明は、洗浄した食器取り出し時に、食器を収容する食器収容篭を前方へ移動させた場合であっても、食器収容篭の下方から滴下する落ちる水滴を洗浄槽内へ確実に還流させることができ、扉を開けた場合であっても、扉の下縁から滴下する水滴を洗浄槽内へ確実に還流させることができる食器洗い機に関する。
【背景技術】
【０００２】
図１２は、従来の食器洗い機の正面から見た要部構成を示す模式図である。食器洗い機は、洗浄する食器２０を収納する洗浄槽２を筐体１の内部に設けており、洗浄槽２の内部には、食器２０が載せられる食器収容篭３と、食器収容篭３の下側に配置され、食器収容篭３に載せられた食器２０に向けて水を噴射する複数の回転可能な噴射ノズル４、４と、噴射ノズル４、４に分配弁を介して加圧水を供給する洗浄ポンプ５と、洗浄槽２内の洗浄水を加熱し、食器２０を乾燥すべく洗浄槽２内の空気の温度を上げるヒータ６とを備えている。
【０００３】
噴射ノズル４には、洗浄水循環路７の一端が接続されており、洗浄水循環路７の他端は洗浄槽２の底部に設けられた排水口８に接続されている。洗浄ポンプ５は、洗浄水循環路７の途中に設けてあり、給水口９から注入され、噴射ノズル４、４から噴射された洗浄水を、排水口８及び洗浄水循環路７を経て、再び噴射ノズル４、４に供給する。
【０００４】
食器２０に対して噴射された洗浄水は、食器収容篭３の底面から洗浄槽２内へ流れ落ち、排水口８及び洗浄水循環路７を経て、再び噴射ノズル４、４に供給される。食器収容篭３は、前後に移動することが可能に取り付けてあり、食器２０の洗浄が終了した場合、又は乾燥まで終了した場合、前方へと移動することにより食器２０を容易に取り出すことができる（特許文献１参照）。
【特許文献１】特開平８−２６６４５９号公報
【発明の開示】
【発明が解決しようとする課題】
【０００５】
しかし、乾燥工程が終了していない食器２０には多数の水滴が付着しており、食器２０の洗浄が終了して乾燥を行う前に食器２０を取り出すべく食器収容篭３を前方へと移動した場合、食器収容篭３の底面から食器２０又は食器収容篭３に付着している水滴が下方へ滴下する。また、食器２０の乾燥工程が終了した場合であっても、食器２０が重なり合っている部分、食器収容篭３の網目部分等に水滴が付着していることが多く、食器２０を取り出すべく食器収容篭３を前方へと移動したとき、食器収容篭３の底面から食器２０又は食器収容篭３に付着している水滴が下方へ滴下する。したがって、洗浄槽２の外部の床面を水滴により濡らしてしまうという問題点があった。
【０００６】
上述した水滴の滴下を防止すべく、水滴が残らないよう乾燥時の洗浄槽２内の温度を上げることも考えられるが、水滴の付着する部分と付着しない部分との間の温度差が大きくなることから、食器２０の劣化を早める等、新たな問題が生じるおそれがある。さらに、食器２０の取り出し時に食器２０の表面温度が下がりにくく、使用者が火傷するおそれもあり好ましくない。
【０００７】
また、扉を上下方向に回転開閉する場合、食器２０の洗浄が終了して乾燥を行う前に食器２０を取り出すべく扉を開いたときに、扉を開く動作に伴って内面に付着した水滴の滴下を受け止めることが好ましい。
【０００８】
本発明は、斯かる事情に鑑みてなされたものであり、食器２０を取り出すべく食器収容篭３を前方へ移動した場合であっても、食器２０に付着している水滴を洗浄槽２内へ還流することができる食器洗い機を提供することを目的とする。
【０００９】
また本発明は、食器２０を取り出すべく扉を開いた場合に、扉を開く動作に伴って内面に付着している水滴を受け止めることができるようにしてある食器洗い機を提供することを目的とする。
【課題を解決するための手段】
【００１０】
上記目的を達成するために本発明に係る食器洗い機は、洗浄槽内に供給された水を循環し、循環した水を食器に対して噴射する食器洗い機において、食器を収容し、前記洗浄槽の内外へ前後に移動することが可能な食器収容篭と、該食器収容篭の底面前端に一端を回転可能に取り付けてある板状の水受け部とを備え、該水受け部の一端と他端との距離は、前記食器収容篭が最前部まで摺動した場合の底面前端と前記洗浄槽の開口部下端との距離よりも長いことを特徴とする。
【００１１】
本発明においては、食器を収容し、洗浄槽の内外へ前後に移動することが可能な食器収容篭の底面の前端に、一端を回転可能に取り付けてある板状の水受け部を備える。板状部材の一端と他端との距離が、食器収容篭が最前部まで移動した場合の底面の前端と開口部下端との距離よりも長いことにより、食器収容篭が最前部まで移動した場合であっても水受け部の他端は洗浄槽内に位置し、食器及び食器収容篭に付着している水滴は、水受け部の表面に滴下する。これにより、食器収容篭が最前部まで移動した場合であっても、食器及び食器収容篭に付着している水滴は、水受け部の表面を伝って洗浄槽内へと還流され、洗浄槽の外部へ滴下することがなく、食器を取り出すごとに食器洗い機の外部の床面に滴下した洗浄水を拭き取る必要がなく、清潔で使いやすい食器洗い機を提供することが可能となる。
【００１２】
また、本発明に係る食器洗い機は、前記食器収容篭が最前部まで移動した場合、前記水受け部は前記洗浄槽の開口部に向かって下向きに傾斜するようにしてあることを特徴とする。
【００１３】
本発明においては、食器収容篭が最前部まで移動した場合、水受け部は洗浄槽の開口部に向かって下向きに傾斜している。これにより、水受け部の表面に滴下した、食器及び食器収容篭に付着していた水滴は、水受け部表面の傾斜に沿って洗浄槽内へと流れ込み、確実に洗浄槽内へ還流することが可能となる。
【００１４】
また、本発明に係る食器洗い機は、食器を乾燥するヒータを前記洗浄槽の下部に備えており、前記食器収容篭が最後部まで移動した場合、前記水受け部は前記ヒータの近傍に収容されるようにしてあることを特徴とする。
【００１５】
本発明においては、食器を乾燥するヒータを洗浄槽の下部に備え、食器収容篭が最前部まで移動した場合、水受け部はヒータの近傍に収容される。これにより、食器の乾燥工程時においてヒータの近傍に水受け部が収容されていることから、水受け部に付着している水滴を確実に乾燥させることができ、食器収容篭が最前部まで移動した場合、水受け部から水滴が滴下することがない。したがって、食器を取り出すごとに食器洗い機の外部の床面に滴下した洗浄水を拭き取る必要がなく、清潔で使いやすい食器洗い機を提供することが可能となる。
【００１６】
また、本発明に係る食器洗い機は、前記水受け部は、前記食器収容篭が最後部まで移動した場合、前記洗浄槽の開口部下端を覆う位置に収容されるようにしてあることを特徴とする。
【００１７】
本発明においては、食器収容篭が最後部まで移動した場合、すなわち洗浄槽内へ収容した状態で、水受け部は洗浄槽の開口部下端を覆う位置に収容される。これにより、洗浄槽を密閉する扉との接合部を水受け部で覆うことにより、噴射ノズルから噴射された洗浄水が水受け部に当たり、接合部に設けてあるパッキン等の止水部材に直接当たることがないことから、止水部材の劣化を抑制することができ、止水性を向上することが可能となる。
【００１８】
また、本発明に係る食器洗い機は、前記水受け部は、脱着可能であることを特徴とする。
【００１９】
本発明においては、水受け部は、食器収容篭に脱着可能に取り付けてある。これにより、水受け部を容易に洗浄することができ、洗浄槽内へ収容した場合に洗浄水を汚すことが無く、より衛生的な食器洗い機を提供することが可能となる。
【００２０】
また、本発明に係る食器洗い機は、洗浄槽内に供給された水を循環し、循環した水を食器に対して噴射する食器洗い機において、上下方向に回転し、前記洗浄槽の開口部を開閉する扉と、前記洗浄槽の開口部の下縁に取り付けてある板状の水受け部と、前記扉の内面の所定の位置に一端を回転可能に取り付けてあり、他端を洗浄槽の左右内面に上下方向に設けてある誘導溝に嵌入してある連携部材とを備え、前記扉が開く場合、前記連携部材の他端が前記誘導溝に沿って上方へ移動し、上方へ移動する他端により前記水受け部が前記洗浄槽の外側へと回転し、前記扉が閉じる場合、前記連携部材の他端が前記誘導溝に沿って下方へ移動し、下方へ移動する他端により前記水受け部が前記洗浄槽側へと回転するようにしてあることを特徴とする。
【００２１】
本発明においては、上下方向に回転して洗浄槽の開口部を開閉する扉の内面の所定の位置に一端を回転可能に取り付けてあり、他端を洗浄槽の左右内面に上下方向に設けてある誘導溝に嵌入してある連携部材を備えており、扉が開く場合、連携部材の他端が誘導溝に沿って上方へ移動し、上方へ移動する他端により水受け部が洗浄槽の外側へと回転し、扉が閉じる場合、連携部材の他端が誘導溝に沿って下方へ移動し、下方へ移動する他端により水受け部が洗浄槽側へと回転する。これにより、扉を上方へ回転させた場合であっても、水受け部が洗浄槽の外側へと回転することにより、水受け部が洗浄槽の外側へ張り出す。したがって、食器を取り出す場合に食器収容篭を引き出さないときでも、食器に付着している水滴は張り出した水受け部の表面に滴下し、水受け部の表面を伝って洗浄槽内へと還流されることから、洗浄槽の外部へ滴下することがなく、食器を取り出すごとに食器洗い機の外部の床面に滴下した洗浄水を拭き取る必要がなく、清潔で使いやすい食器洗い機を提供することが可能となる。
【００２２】
また、本発明に係る食器洗い機は、前記水受け部は、回転中心の近傍の両側端に、前記水受け部の延長方向に突出する第１の突出部と、該第１の突出部と略直交する第２の突出部とを備え、前記連携部材の他端は、前記扉を閉じた場合に前記第１の突出部と前記第２の突出部との間に位置するように設けてあることを特徴とする。
【００２３】
本発明においては、水受け部は、回転中心の近傍の両側端に、水受け部の延長方向に突出する第１の突出部と、該第１の突出部と略直交する第２の突出部とを備えており、連携部材の他端は、扉を閉じた場合に第１の突出部と第２の突出部との間に位置するように設けてある。これにより、扉を開けることにより連携部材の他端が誘導溝に沿って上方へ移動した場合、連携部材の他端が第２の突出部を押し上げて、水受け部を洗浄槽の外部の方向へと回転させる。扉を閉じる場合には、連携部材の他端が誘導溝に沿って下方へ移動し、連携部材の他端が第１の突出部を押し下げて、水受け部を洗浄槽の方向へと回転させる。したがって、扉の開閉に応じて水受け部を出し入れすることができ、扉を開けて食器を取り出す場合に食器洗浄篭を引き出さないときでも、食器に付着している水滴は張り出した水受け部の表面に滴下し、水受け部の表面を伝って洗浄槽内へと還流されることから、洗浄槽の外部へ滴下することがなく、食器を取り出すごとに食器洗い機の外部の床面に滴下した洗浄水を拭き取る必要がなく、清潔で使いやすい食器洗い機を提供することが可能となる。
【００２４】
また、本発明に係る食器洗い機は、前記水受け部は、金属材料で形成してあることを特徴とする。
【００２５】
本発明においては、水受け部は、金属材料で形成してあることから、耐熱性が向上し、熱伝導性が高くなる。したがって、付着した水滴が乾燥しやすく、表面を清潔に維持することが容易であることから衛生的である。また、薄型化が容易であり、スペース効率の向上を図ることも可能となる。
【発明の効果】
【００２６】
本発明によれば、食器収容篭が最前部まで移動した場合であっても、食器及び食器収容篭に付着している水滴は、水受け部の表面を伝って洗浄槽内へと還流され、洗浄槽の外部へ滴下することがなく、食器を取り出すごとに食器洗い機の外部の床面に滴下した洗浄水を拭き取る必要がなく、清潔で使いやすい食器洗い機を提供することが可能となる。
【００２７】
また、食器の乾燥工程時においてヒータの近傍に水受け部が収容されていることから、水受け部に付着している水滴を確実に乾燥させることができ、食器収容篭が最前部まで移動した場合、水受け部から水滴が滴下することがない。したがって、食器を取り出すごとに食器洗い機の外部の床面に滴下した洗浄水を拭き取る必要がなく、より衛生的な食器洗い機を提供することが可能となる。
【００２８】
さらに、扉を上方へ回転させた場合であっても、水受け部が洗浄槽の外側へと回転することにより、水受け部が洗浄槽の外側へ張り出す。したがって、食器を取り出す場合に食器収容篭を引き出さないときでも、食器に付着している水滴は張り出した水受け部の表面に滴下し、水受け部の表面を伝って洗浄槽内へと還流されることから、洗浄槽の外部へ滴下することがなく、食器を取り出すごとに食器洗い機の外部の床面に滴下した洗浄水を拭き取る必要がなく、清潔で使いやすい食器洗い機を提供することが可能となる。
【発明を実施するための最良の形態】
【００２９】
以下、本発明をその実施の形態を示す図面に基づいて詳述する。
【００３０】
（実施の形態１）
図１は本発明の実施の形態１に係る食器洗い機の正面から見た要部構成を示す模式図であり、図２は本発明の実施の形態１に係る食器洗い機の要部構成を模式的に示す側断面図である。なお、従来の食器洗い機と同様の構成要素については、同一の符号を付する。
【００３１】
本実施の形態１に係る食器洗い機は、洗浄する食器を収納する洗浄槽２を筐体１の内部に設けており、洗浄槽２の内部には、食器が載せられる食器収容篭３と、食器収容篭３の下側に配置され、食器収容篭３に載せられた食器２０に向けて水を噴射する複数の回転可能な噴射ノズル４、４と、ヒータカバー１１内に収容した洗浄槽２内の洗浄水又は洗浄槽２内の空気を加熱するヒータ６とを備えている。
【００３２】
食器収容篭３は、左右の両側方に設けてある支持部１２、１２を、筐体１の両側壁に設けた誘導部１３、１３の上に載置しており、支持部１２、１２が誘導部１３、１３に沿って摺動する。支持部１２、１２の摺動に伴って、食器収容篭３は、洗浄槽２の前後に摺動することができる。
【００３３】
食器収容篭３の底面の最前部には、食器２０及び食器収容篭３から滴下する水滴を受け止める水受け部１０を備えている。図３は、本発明の実施の形態１に係る食器洗い機の水受け部１０の斜視図である。水受け部１０は、板状の部材であり、上端に食器収容篭３の金属棒に枢止することができる枢着部５１、５１を備えている。
【００３４】
枢着部５１、５１は、例えばクリップ形状をしており、水受け部の回転軸方向に対称な位置に配置してある。枢着部５１、５１の近傍には、水受け部の回転軸方向に対称な位置に、水受け部１０の枢着部５１、５１が食器収容篭３の金属棒から外れるのを防止すべく、突出部５２、５２を設けてある。突出部５２、５２が、枢着部５１、５１が係着している食器収容篭３の金属棒に交差する金属棒に当接することにより、一定角度以上水受け部１０が回転しないように抑制する。これにより、食器収容篭３を洗浄槽２の前後に摺動する途上において、枢着部５１、５１が食器収容篭３の金属棒から外れることがない。
【００３５】
水受け部１０の下端は自由端であり、枢着部５１、５１を食器収容篭３の金属棒に枢止した場合、水受け部１０の自重により下方へ垂れ下がるようになっている。
【００３６】
水受け部１０の枢着部５１、５１は、食器収容篭３の底面の最前部に位置する金属棒に枢止する。図２のように、食器収容篭３を洗浄槽２内に収容して扉８を閉じている場合、すなわち食器収容篭３を最後尾まで移動させている場合、水受け部１０は自重により下方へ垂れ下がり、ヒータ６を収容するヒータカバー１１の近傍に収容される。
【００３７】
図２の状態で、噴射ノズル４から洗浄水を噴射し、食器収容篭３に載置してある食器２０を洗浄する。したがって、水受け部１０のヒータ６側の表面にも洗浄水が付着する。食器２０に対して噴射された洗浄水は、食器収容篭３の底面、洗浄槽２の側壁等を伝って洗浄槽２の底部へ流れ落ち、再び噴射ノズル４、４に供給される。
【００３８】
食器収容篭３を洗浄槽２内に収容して扉８を閉じている場合、すなわち食器収容篭３を最後尾まで移動させている場合、水受け部１０は、洗浄槽２の開口部の下端部１５と扉８との接合部を覆う位置に収容されることが好ましい。通常、洗浄槽２の開口部の下端部１５と扉８との接合部には、パッキン等の合成樹脂製の止水部材１６が設けられており、噴射ノズル４、４、・・・から噴射された洗浄水は水受け部１０の表面に直接当たる。したがって、噴射ノズル４、４、・・・から噴射された洗浄水は止水部材１６に直接当たることが無く、止水部材１６の劣化を抑制することができ、止水性を向上することが可能となる。
【００３９】
洗浄工程が完了し、乾燥工程を行った後、食器２０を取り出すべく扉を開放し、食器収容篭３を前方へと摺動させる。図４は、本発明の実施の形態１に係る食器洗い機の食器収容篭３を前方へ移動させた状態を模式的に示す側断面図である。
【００４０】
食器収容篭３を、誘導部１３、１３に沿って前方へ移動させた場合、水受け部１０は筐体１の開口部の下端部１５と接触し、以降食器収容篭３を前方へ引き出すに伴い、水受け部１０は枢着部５１、５１を軸として回転し、水受け部１０は洗浄槽２の下方へ向かって傾斜する。水受け部１０の枢着部５１、５１を備えている一端と他端との距離Ｌ１は、食器収容篭３が最前部まで移動した場合の、食器収容篭３の最前部の金属棒と洗浄槽２の開口部の下端部１５との距離Ｌ２よりも長くしてある。これにより、食器２０を取り出すべく食器収容篭３を前方へ移動させたどの位置においても、食器収容篭３の洗浄槽２の外部に位置する部分の下方に水受け部１０を配置することができ、食器２０及び食器収容篭３に付着している水滴は下方に配置されている水受け部１０の表面に滴下する。
【００４１】
水受け部１０の表面に滴下した水滴は、水受け部１０が洗浄槽２の下方に向かって傾斜していることから、洗浄槽２内へ向かって流れ落ちる。したがって、食器２０及び食器収容篭３に付着している水滴が、洗浄槽２の外部へ滴下することがなく、食器２０を取り出すごとに食器洗い機の外部の床面に滴下した洗浄水を拭き取る必要がない。
【００４２】
なお、水受け部１０は、本実施の形態１のように一部屈曲している板状部材に限定されるものではなく、枢着部５１、５１を備えている一端と他端との距離Ｌ１が、食器収容篭３が最前部まで移動した場合の、食器収容篭３の最前部の金属棒と洗浄槽２の開口部の下端部１５との距離Ｌ２よりも長く、食器収容篭３が最前部まで移動した場合に洗浄槽２の下方へ向かって傾斜する形状であれば何でも良い。図５は、水受け部１０の他の形態を例示した斜視図である。
【００４３】
例えば図５（ａ）のように、一枚の板状であっても良いし、図５（ｂ）のように湾曲した板状であっても良い。また、水受け部１０の両側部から滴下した水が漏れ出ないように、両側部に案内溝を設けても良いし、両側部に突部を設けても良い。
【００４４】
また、水受け部１０の枢着部５１、５１を備えている一端と対向する他端は、自由端であることに限定されるものではなく、例えば洗浄槽２内部の側壁に他端の移動経路に対応するガイドレールを設け、該ガイドレールに沿って移動するよう両端にガイドレールに挿入可能な突起部を設けている構成であっても良い。
【００４５】
また、水受け部１０は、食器洗浄器を使用しない場合に、食器収容篭３から取り外すことができるよう、脱着可能となっていることが好ましい。水受け部１０は比較的汚れた洗浄水が付着しやすいことから、定期的に洗浄することが衛生的に好ましく、食器収容篭３から取り外すことにより、確実に洗浄することができるからである。
【００４６】
以上のように、本実施の形態１によれば、食器収容篭３を最前部まで移動した場合であっても、食器２０及び食器収容篭３に付着している水滴は、水受け部１０の表面を伝って洗浄槽２内へと還流され、洗浄槽２の外部へ滴下することがなく、食器２０を取り出すごとに食器洗い機の外部の床面に滴下した洗浄水を拭き取る必要がなく、清潔で使いやすい食器洗い機を提供することが可能となる。
【００４７】
また、ヒータ６の近傍に水受け部１０を収容することができることから、食器洗浄により水受け部１０に付着している水滴を確実に乾燥させることができ、食器収容篭３が最前部まで移動した場合、水受け部１０から滴下する水滴を最小限に抑制することが可能となる。
【００４８】
なお、本実施の形態１において、食器収容篭３の前後方向の移動は、支持部１２、１２を誘導部１３、１３に沿って摺動させるものに限定されるものではなく、例えば複数のローラ上を食器収容篭３の左右端に設けた金属棒が移動する等、前後方向に移動させることが可能な機構であれば何でも良い。
【００４９】
また、水受け部１０の材質は、耐熱性が高く、熱伝導性の高い金属部材であることが好ましい。金属材料とすることにより、付着した水滴が乾燥しやすく、表面を清潔に維持することが容易であることから衛生的である。また、薄型化が容易であり、スペース効率の向上を図ることも可能となる。
【００５０】
（実施の形態２）
図６は本発明の実施の形態２に係る食器洗い機の扉を開いた状態の要部構成を示す斜視図であり、図７は本発明の実施の形態２に係る食器洗い機の扉を開いた状態の要部構成を示す側断面図である。なお、従来の食器洗い機と同様の構成要素については、同一の符号を付する。図６及び図７では、食器収容篭３の記載を説明を簡単にすべく省略している。
【００５１】
本実施の形態２に係る食器洗い機は、洗浄する食器を収納する洗浄槽２を筐体１の内部に設けており、洗浄槽２の内部には、食器が載せられる食器収容篭（図示せず）と、食器収容篭の下側に配置され、食器収容篭に載せられた食器（図示せず）に向けて水を噴射する複数の回転可能な噴射ノズル４、４と、ヒータカバー１１内に収容した洗浄槽２内の洗浄水又は洗浄槽２内の空気を加熱するヒータ６とを備えている。
【００５２】
洗浄槽２を開閉する扉２１は、内面の中央近傍で回転可能に連携部材２２を枢着している。連携部材２２は針金状であり、略コの字状に屈曲しており、扉２１の内面と略平行な平行部２２１の両端が扉２１に枢着している。連携部材２２の端部２２２、２２２は、洗浄槽２内の両側面に上下方向に設けてある誘導溝２３、２３に嵌入してある。
【００５３】
なお、連携部材２２はかかる形状に限定されるものではなく、針金状でなく一体成形された略コの字状の合成樹脂製の部材であっても良いし、一体ではなく左右に独立して２個設け、それぞれ一端を扉２１の内面に枢着し、他端を誘導溝２３、２３に嵌入してある部材であっても良い。
【００５４】
洗浄槽２の開口部の下縁部には、食器及び食器収容篭を引き出した場合に食器及び食器収容篭から滴下する水滴、又は扉２１を開いた場合に扉２１の下端部から滴下する水滴を受け止める水受け部１０を備えている。図８は、本発明の実施の形態２に係る食器洗い機の水受け部１０の斜視図である。水受け部１０は、板状部材１０１の両側端に水滴誘導部１０２、１０２を備えている。
【００５５】
水滴誘導部１０２、１０２の洗浄槽２へ取り付ける側には、水滴誘導部１０２、１０２を洗浄槽２の内側面に回転することが可能に枢止するネジ等の枢着部材（図示せず）を挿通する枢止孔１０５、１０５を設けている。また、枢止孔１０５、１０５の近傍には、板状部材１０１の延長方向に突出する第１の突出部１０３、１０３及び該方向に略直交する方向に突出する第２の突出部１０４、１０４を設けている。第１の突出部１０３、１０３及び第２の突出部１０４、１０４は、連携部材２２の端部２２２、２２２と係合することにより、端部２２２、２２２の誘導溝２３、２３に沿った移動に応じて水受け部１０を枢止孔１０５、１０５を回転中心として回転させる。
【００５６】
以下、扉２１の開閉に伴って水受け部１０が洗浄槽２の外部へ出入りする機構について説明する。図９は本発明の実施の形態２に係る食器洗い機の扉２１を閉じる途上を示す側断面図であり、図１０は本発明の実施の形態２に係る食器洗い機の扉２１を閉じた状態を示す側断面図であり、図１１は本発明の実施の形態２に係る食器洗い機の扉２１を開ける途上を示す側断面図である。
【００５７】
図７の状態から扉２１を閉じ始め、図９の状態となった場合、連携部材２２の端部２２２、２２２は誘導溝２３、２３に沿って下方へ移動し、水受け部１０の第１の突出部１０３、１０３に当接し、第１の突出部１０３、１０３を押し下げる。水受け部１０は、第１の突出部１０３、１０３が押し下げられることにより、枢止孔１０５、１０５を中心として、洗浄槽２内へ収容される方向へ回転し、扉２１が閉じた状態では、図１０に示すように洗浄槽２内へ収容される。
【００５８】
図１０の状態から扉２１を開け始め、図１１の状態となった場合、連携部材２２の端部２２２、２２２は誘導溝２３、２３に沿って上方へ移動し、水受け部１０の第２の突出部１０４、１０４に当接し、第２の突出部１０４、１０４を押し上げる。水受け部１０は、第２の突出部１０４、１０４が押し下げられることにより、枢止孔１０５、１０５を中心として、洗浄槽２の外側へ張り出す方向へ回転し、扉２１が開いた状態では、図７に示すように洗浄槽２の外側へ張り出すことにより、食器取り出し時に滴下する水滴を確実に受け止めることができる。
【００５９】
また、扉２１を開いた状態で水受け部１０が洗浄槽２の外側に位置することから、洗浄槽２の下部に設けてある、食器に付着した残菜を収集する残菜フィルタ（図示せず）を取り出すことが容易となり、清掃を楽に行うことができ衛生的である。
【００６０】
以上のように本実施の形態２によれば、扉２１を上方へ回転させた場合であっても、水受け部１０が洗浄槽２の外側へと回転することにより、水受け部１０が洗浄槽２の外側へ張り出す。したがって、食器を取り出す場合に食器収容篭を引き出さないときでも、食器に付着している水滴は張り出した水受け部１０の表面に滴下し、水受け部１０の表面を伝って洗浄槽２内へと還流されることから、洗浄槽２の外部へ滴下することがなく、食器を取り出すごとに食器洗い機の外部の床面に滴下した洗浄水を拭き取る必要がなく、清潔で使いやすい食器洗い機を提供することが可能となる。
【００６１】
また、水受け部１０の材質は、実施の形態１と同様、耐熱性が高く、熱伝導性の高い金属部材であることが好ましい。金属材料とすることにより、付着した水滴が乾燥しやすく、表面を清潔に維持することが容易であることから衛生的である。また、薄型化が容易であり、スペース効率の向上を図ることも可能となる。
【図面の簡単な説明】
【００６２】
【図１】本発明の実施の形態１に係る食器洗い機の正面から見た要部構成を示す模式図である。
【図２】本発明の実施の形態１に係る食器洗い機の要部構成を模式的に示す側断面図である。
【図３】本発明の実施の形態１に係る食器洗い機の水受け部の斜視図である。
【図４】本発明の実施の形態１に係る食器洗い機の食器収容篭を前方へ移動させた状態を模式的に示す側断面図である。
【図５】水受け部の他の形態を例示した斜視図である。
【図６】本発明の実施の形態２に係る食器洗い機の扉を開いた状態の要部構成を示す斜視図である。
【図７】本発明の実施の形態２に係る食器洗い機の扉を開いた状態の要部構成を示す側断面図である。
【図８】本発明の実施の形態２に係る食器洗い機の水受け部の斜視図である。
【図９】本発明の実施の形態２に係る食器洗い機の扉を閉じる途上を示す側断面図である。
【図１０】本発明の実施の形態２に係る食器洗い機の扉を閉じた状態を示す側断面図である。
【図１１】本発明の実施の形態２に係る食器洗い機の扉を開ける途上を示す側断面図である。
【図１２】従来の食器洗い機の正面から見た要部構成を示す模式図である。
【符号の説明】
【００６３】
１  筐体
２  洗浄槽
３  食器収容篭
４  噴射ノズル
５  洗浄ポンプ
６  ヒータ
７  洗浄水循環路
１０  水受け部
１１  ヒータカバー
１２  支持部
１３  誘導部
１５  下端部
２０  食器
２１  扉
２２  連携部材
２３  誘導溝
５１  枢着部
１０３  第１の突出部
１０４  第２の突出部
【図１】
2006263378.tif 000003
【図２】
2006263378.tif 000004
【図３】
2006263378.tif 000005
【図４】
2006263378.tif 000006
【図５】
2006263378.tif 000007
【図６】
2006263378.tif 000008
【図７】
2006263378.tif 000009
【図８】
2006263378.tif 000010
【図９】
2006263378.tif 000011
【図１０】
2006263378.tif 000012
【図１１】
2006263378.tif 000013
【図１２】
2006263378.tif 000014